(57)【要約】【課題】  カバーをケース本体に対して回動して閉操作しただけで、カバーに設けた係止爪がケース本体に係止する回路遮断器を提供する。【解決手段】  カバー１３はケース蓋体１２に蝶着され、閉じた際にケース蓋体１２に係止する複数の係止爪１４を有し、対応するケース蓋体１２には係止爪１４を係止する複数の係止凹部１５を有している。カバー１３を蝶着するケース蓋体１２に設けられた軸受部７は、カバー１３の蝶着軸１３ｂをケース１０の前後方向に移動可能に形成され、ケース蓋体１２には閉操作途中のカバー１３が特定の角度で当接して蝶着軸１３ｂを前方に移動させて係止爪１４を係止凹部１５へ挿入動作させる係合面１２ｃを備え、閉操作したカバー１３がケース蓋体１２に当接した時点で、係止爪１４が係止凹部１５に挿入される。【選択図】  図３
2015002154.tif 000002
【特許請求の範囲】
【請求項１】
ケース本体に電路を遮断する遮断機構が収納され、電路の開閉を操作する操作ハンドルを配置したケース本体上部に付属装置を収納するために凹設された収納部を備えると共に、前記収納部を閉塞するカバーを備え、ケース本体背面に電源側端子、前面に負荷側端子を配置した回路遮断器において、
前記カバーは、前記ケース本体に蝶着されて回動操作により前記収納部を開閉可能であって、閉じた際に前記ケース本体に係止する複数の係止爪を有する一方、対応する前記ケース本体には前記係止爪を係止する複数の係止凹部が設けられ、
前記カバーを蝶着する前記ケース本体に設けられた軸受部が、前記カバーの蝶着軸をケース本体の前後方向へ案内可能に形成されると共に、
前記ケース本体には、閉操作途中の前記カバーが特定の角度で当接して前記蝶着軸を前方に移動させ、前記係止爪を前記係止凹部へ挿入動作させるスライド手段が設けられ、
閉操作した前記カバーが前記ケース本体に当接した時点で、前記係止爪が前記係止凹部に係止され、前記カバーが前記ケース本体に固定されることを特徴とする回路遮断器。
【請求項２】
前記ケース本体は、前記カバーに設けられた係止爪を前記係止凹部への係止可能位置へ移動させるガイド部を有し、
閉操作する前記カバーの蝶着側端部が、前記特定の角度に至る前に前記ガイド部に係合して前記蝶着軸を前記軸受部内の所定の位置に移動させ、前記係止爪の前記係止凹部に対する位置補正が成されることを特徴とする請求項１記載の回路遮断器。
【発明の詳細な説明】
【技術分野】
【０００１】
本発明は回路遮断器に関し、特に警報スイッチや補助スイッチ等の付属装置を装着可能とした回路遮断器に関する。
【背景技術】
【０００２】
従来より、警報スイッチ、補助スイッチ等の付属装置を装着可能とした回路遮断器がある。このような回路遮断器のケースは、電路を開閉する接点部、接点部を動作させる開閉機構部、過電流検知部等を組み付けるケース基体と、付属装置収納部を備えてケース基体上に装着されるケース蓋体とから成るケース本体と、付属装置収納部を閉塞するカバーとを有して構成されているのが一般的である。そして、カバーに隣接して或いはカバーに設けた開口部から突出するように接点部を開閉操作する操作ハンドルが配置され、ケース背面には電源側端子、前面には負荷側端子が配置されている。
【０００３】
このようにカバーを備えた回路遮断器は、カバーを開閉し易く構成する一方で、遮断動作時に発生するアークガスの圧力によりカバーが飛ばされることがないよう閉じた状態を堅牢に保つ構成が要求される。そのため、カバーに複数の係止爪を設けて、カバーを閉じた後更にケース蓋体に係止爪を係止させるスライド操作等を実施をして、アークガスの圧力により開放されないようにした。
例えば特許文献１では、複数の係止爪を設けたカバーを閉じた後、カバーに設けた４分の１回転ネジを操作してカバーの係止爪がケース本体に係止する方向へスライドさせて、係止爪を確実に係止させた。
【先行技術文献】
【特許文献】
【０００４】
【特許文献１】特表２０１１−５０７１７６号公報
【発明の概要】
【発明が解決しようとする課題】
【０００５】
しかしながら、カバーを閉じた後スライド操作等の係止させる操作を必要とする上記構成の場合、作業者がカバーを閉じただけの状態で係止させたと思い込んでしまう場合があり、この場合係止させてロック状態を形成できる機構を設けても有効に機能しなかった。
【０００６】
そこで、本発明はこのような問題点に鑑み、カバーをケース本体に対して回動閉操作しただけで、カバーに設けた係止爪がケース本体に係止した状態を形成できる回路遮断器を提供することを目的としている。
【課題を解決するための手段】
【０００７】
上記課題を解決する為に、請求項１の発明は、ケース本体に電路を遮断する遮断機構が収納され、電路の開閉を操作する操作ハンドルを配置したケース本体上部に付属装置を収納するために凹設された収納部を備えると共に、前記収納部を閉塞するカバーを備え、ケース本体背面に電源側端子、前面に負荷側端子を配置した回路遮断器において、前記カバーは、前記ケース本体に蝶着されて回動操作により前記収納部を開閉可能であって、閉じた際に前記ケース本体に係止する複数の係止爪を有する一方、対応する前記ケース本体には前記係止爪を係止する複数の係止凹部が設けられ、前記カバーを蝶着する前記ケース本体に設けられた軸受部が、前記カバーの蝶着軸をケース本体の前後方向へ案内可能に形成されると共に、前記ケース本体には、閉操作途中の前記カバーが特定の角度で当接して前記蝶着軸を前方に移動させ、前記係止爪を前記係止凹部へ挿入動作させるスライド手段が設けられ、閉操作した前記カバーが前記ケース本体に当接した時点で、前記係止爪が前記係止凹部に係止され、前記カバーが前記ケース本体に固定されることを特徴とする。
この構成によれば、カバー閉操作途中の特定の角度でカバーがケース本体に当接して蝶着軸を前方に移動させるため、係止爪を係止凹部へ挿入動作させることができる。よって、カバーの閉操作が完了した時点でカバーをケース本体に固定することができる。従って、カバーを閉じた後に更にスライド操作等のカバー固定操作を行う必要が無くなり、係止操作し忘れる恐れがない。
【０００８】
請求項２の発明は、請求項１に記載の構成において、前記ケース本体は、前記カバーに設けられた係止爪を前記係止凹部への係止可能位置へ移動させるガイド部を有し、閉操作する前記カバーの蝶着側端部が、前記特定の角度に至る前に前記ガイド部に係合して前記蝶着軸を前記軸受部内の所定の位置に移動させ、前記係止爪の前記係止凹部に対する位置補正が成されることを特徴とする。
この構成によれば、カバー閉操作の途中で係止爪の位置が係止凹部へ係止可能な位置へ補正されるため、係止爪と係止凹部の位置を気にすることなくカバーの閉操作ができる。
【発明の効果】
【０００９】
本発明によれば、カバー閉操作途中の特定の角度でカバーがケース本体に当接し、蝶着軸を前方に移動させて係止爪を係止凹部へ挿入動作させるため、カバーの閉操作が完了した時点で係止凹部に係止爪が挿入されてカバーが係止される。よって、カバーを閉じた時点でカバーの開動作が阻止され、閉じた後に更にスライド操作等してカバーを係止させる操作を無くすことができ、係止操作し忘れる恐れがない。
【図面の簡単な説明】
【００１０】
【図１】本発明に係る回路遮断器の一例を示し、（ａ）は平面図、（ｂ）は左側面図である。
【図２】カバー単体を示し、（ａ）は平面図、（ｂ）は側面図である。
【図３】カバーを下方から見た斜視図である。
【図４】ケース蓋体の斜視図である。
【図５】ケース蓋体の平面図である。
【図６】Ｈ−Ｈ線断面図である。
【図７】Ａ−Ａ線断面図である。
【図８】Ｂ−Ｂ線断面図である。
【図９】カバーを開けた状態のＤ−Ｄ線断面図である。
【図１０】カバーがケース本体に係合する角度のＤ−Ｄ線断面図である。
【図１１】カバーを閉じる途中の状態を示し、（ａ）はＤ−Ｄ線断面図、（ｂ）はＥ−Ｅ線断面図である。
【図１２】カバーを閉じる途中の状態を示し、（ａ）はＤ−Ｄ線断面図、（ｂ）はＥ−Ｅ線断面図である。
【図１３】カバーを閉じ終わる直前の状態を示し、（ａ）はＤ−Ｄ線断面図、（ｂ）はＥ−Ｅ線断面図、（ｃ）はＦ−Ｆ線断面図である。
【図１４】カバーを閉じた状態を示し、（ａ）はＤ−Ｄ線断面図、（ｂ）はＥ−Ｅ線断面図、（ｃ）はＦ−Ｆ線断面図である。
【図１５】カバーを閉じた後、完全にロックした状態を示し、（ａ）はＤ−Ｄ線断面図、（ｂ）はＥ−Ｅ線断面図、（ｃ）はＦ−Ｆ線断面図である。
【図１６】Ｄ−Ｄ線断面によるカバー蝶着軸の移動説明図である。
【図１７】回路遮断器の他の例を示す平面図である。
【図１８】図１７のカバー単体を示し、（ａ）は平面図、（ｂ）は側面図である。
【図１９】図１７に示すカバーを下方から見た斜視図である。
【図２０】図１７に示すケース蓋体の斜視図である。
【図２１】図１７の回路遮断器の断面図であり、（ａ）はＪ−Ｊ線断面図、（ｂ）はＫ−Ｋ線断面図、（ｃ）はＬ−Ｌ線断面図を示している。
【発明を実施するための形態】
【００１１】
以下、本発明を具体化した実施の形態を、図面を参照して詳細に説明する。図１は本発明に係る回路遮断器の一例を示し、（ａ）は平面図、（ｂ）は左側面図である。１は電源側端子、２は負荷側端子、３は電源側端子１と負荷側端子２との間の電路を開閉操作する操作ハンドル、４は端子を構成するネジであり、電源側端子１と負荷側端子２はケース１０の対向面に配置され、操作ハンドル３はケース１０の上面に配置されている。
ケース１０は、過電流検知部、開閉接点、開閉機構等の遮断機構が組み付けられたケース基体１１とケース基体１１上に装着されるケース蓋体１２とから成るケース本体１０ａと、ケース蓋体１２上を覆うカバー１３とで構成され、図１はカバー１３をケース本体１０ａに係止させ、更にネジ止めして固着した状態を示している。
尚、説明の都合上、電源側端子１の配置面をケース背面、負荷側端子２の配置面をケース前面として以下説明する。
【００１２】
図２、図３は、カバー１３単体を示し、図２（ａ）は平面図、図２（ｂ）は側面図、図３は下方から見た斜視図である。１３ａはケース基体１１に組み付けられた操作ハンドル３を露出させるための開口部、１３ｂはケース蓋体１２に蝶着するための蝶着軸であり左右に突設されている。この蝶着軸１３ｂがケース蓋体１２の負荷側端子２近傍に回動可能に枢着されて蝶着部を形成し、カバー１３の回動操作によりケース蓋体１２上面を開閉可能としている。また、５は付属装置収納部（図４に示す）６の上部を塞ぐ蓋部であり、付属装置収納部６を操作ハンドル３の左右２箇所に設けた場合を示している。
【００１３】
そして、図３に示す１４（１４ａ〜１４ｃ）はケース蓋体１２に係止する係止爪である。具体的に、１４ａは開放端部の左右に設けられ、閉じた際に電源側端子１近傍に係止する第１係止爪、１４ｂは蝶着軸１３ｂ近傍に設けられた傾斜面から成る係止部を備えた一対の第２係止爪、１４ｃは左右の蝶着軸１３ｂ，１３ｂの近傍において左右方向に延設された第３係止爪であり、係止爪１４はカバーの５箇所に形成されている。
【００１４】
図４〜図６はケース蓋体１２を示し、図４は斜視図、図５は平面図、図６はＨ−Ｈ線断面図である。図４において、６は付属装置収納部、７は蝶着軸１３ｂが挿入される軸受部、１２ａは操作ハンドル挿通孔、１５（１５ａ〜１５ｃ）はカバー１３の係止爪１４を係止する係止凹部である。具体的に、１５ａは電源側端子１近傍の左右端部に形成されて第１係止爪１４ａが係止する第１係止凹部、１５ｂは負荷側端子２近傍に形成されて第２係止爪１４ｂが係止する一対の第２係止凹部、１５ｃは左右の軸受部７の間に左右方向に延設されて第３係止爪１４ｃが係止する第３係止凹部である。尚、図６に示す１２ｃは後述するスライド手段としての係合面であり、図３に示す係合部１３ｄが係合する。
【００１５】
図７は図１に示すＡ−Ａ線断面図、図８はＢ−Ｂ線断面図であり、カバー１３の係止構造の説明図である。図７に示すように、付属装置収納部６を閉塞したカバー１３の開放端部は、ネジ８によりケース蓋体１２にネジ止めされて、即ちケース本体１０ａにネジ止めされて固着される。そして、この状態で第３係止爪１４ｃは第３係止凹部１５ｃに係止し、図８に示すように第１係止爪１４ａは第１係止凹部１５ａに係止している。
尚、第２係止爪１４ｂも後述する図１５に示すように第２係止凹部１５ｂに係止している。また、図７以降、必要に応じて部分拡大図を加えている。
【００１６】
このように構成された回路遮断器において、開放されたカバー１３を回動して閉じる際に係止爪１４が係止凹部１５に係止する動作を具体的に説明する。図９〜図１４は、カバー１３を開放状態から回動してケース蓋体１２に密着させてケース本体１０ａ上面を閉塞するまでの動作を示す回路遮断器の断面図を示し、この図に参照して説明する。
カバー１３は、ケース本体１０ａの前方に傾倒させた状態（図示せず）からケース本体１０ａを閉塞（ケース蓋体１２を閉塞）する状態に至るまで、約１８０度回動可能に構成されている。
【００１７】
図９は図１に示すＤ−Ｄ線断面図であり、カバー１３の回動閉操作が開始されてカバー１３とケース蓋体１２との係合作用が始まる状態を示している。カバー１３が起立した状態を過ぎて後方に傾倒を始める角度になると、カバー１３の蝶着側端部１３ｃがケース蓋体１２に形成された段部（ガイド部）１２ｂに係合し、カバー１３が後述する特定の角度に至るまでのしばらくの間、段部１２ｂを支点として回動する。この結果、蝶着軸１３ｂが軸受部７の後方へ移動する（第１の状態Ｍ１）。尚、軸受部７は、前後に長く形成されて蝶着軸１３ｂを前後に移動可能としている。
この段部１２ｂは、係止爪１４を係止凹部１５へ挿入可能な位置に案内する案内手段として作用し、この蝶着軸１３ｂの移動により、カバー１３に設けられている係止爪１４のケース蓋体１２に設けられた係止凹部１５に対する位置補正が行われ、スムーズな閉操作が可能となる。  
【００１８】
そして、図１０はカバー１３の回動閉操作を進めて、ケース本体１０ａと係合作用が始まった角度におけるＤ−Ｄ線断面図を示し、蝶着側端部１３ｃと段部１２ｂとの係合作用により、蝶着軸１３ｂが後方（電源側端子方向）へ移動した状態を示している（第２の状態Ｍ２）。
【００１９】
図１１は更にカバー１３を閉操作した状態を示し、（ａ）はＤ−Ｄ線断面図、（ｂ）はＥ−Ｅ線断面図である。図１１に示すように、カバー１３を回動して閉状態に近づけると蝶着軸１３ｂは更に後方へ移動し、最終的に軸受部７の後端に当接する（第３の状態Ｍ３）。当接後は蝶着軸１３ｂが支点となり、カバー１３の蝶着側端部１３ｃが段部１２ｂを乗り越えて前方へ移動を始める。また、蝶着軸１３ｂが軸受部７の後端に当接した段階で、図１１（ａ）に示すように、第２係止爪１４ｂが第２係止凹部１５ｂと対峙する位置に配置され、その後の閉操作で係止動作に入る。
【００２０】
図１２はカバー１３の閉操作が更に進み、特定の角度まで回動した状態を示し、（ａ）はＤ−Ｄ線断面図、（ｂ）はＥ−Ｅ線断面図である。カバー１３の後方への傾倒が進み、特定の角度に至ると、図１２（ｂ）に示すようにカバー１３の下面に形成された係合部１３ｄがケース蓋体１２の前傾する傾斜面から成る係合面（スライド手段）１２ｃに当接する。その後閉操作を進めると、係合面１２ｃ上を摺動し、カバー１３全体が前方へスライドする。
その結果、図１２（ａ）に示すように  第２係止爪１４ｂが第２係止凹部１５ｂに入り込んで行き、係止動作が始まる（第４の状態Ｍ４）。
【００２１】
図１３はカバー１３がケース蓋体１２に当接する直前の状態を示し、（ａ）はＤ−Ｄ線断面図、（ｂ）はＥ−Ｅ線断面図、（ｃ）はＦ−Ｆ線断面図である。図１３（ａ）に示すように、引き続きカバー１３の閉操作を進めることで、第２係止爪１４ｂと第２係止凹部１５ｂとの係止が進行する（第５の状態Ｍ５）。
同時に、カバー１３が前方へスライドして蝶着軸１３ｂが更に前方へ移動することで、図１３（ｂ）に示すように新たに第３係止爪１４ｃの第３係止凹部１５ｃへの係止が始まる。そして、図１３（ｃ）に示すように、第１係止爪１４ａが第１係止凹部１５ａへ接近する。
【００２２】
図１４はカバー１３の回動閉操作が終了してケース蓋体１２に当接した状態を示し、（ａ）はＤ−Ｄ線断面図、（ｂ）はＥ−Ｅ線断面図、（ｃ）はＦ−Ｆ線断面図である。図１４（ａ）に示すように、カバー１３がケース蓋体１２に当接すると、第２係止爪１４ｂは第２係止凹部１５ｂに深く入り込む。また、図１４（ｂ）に示すように第３係止爪１４ｃは第３係止凹部１５ｃに係止する。更に、図１４（ｃ）に示すように第１係止爪１４ａが第１係止凹部１５ａへ係止する（第６の状態Ｍ６）。
【００２３】
図１５は、ケース蓋体１２に当接したカバー１３をネジ締め固定した状態を示し、（ａ）はＤ−Ｄ線断面図、（ｂ）はＥ−Ｅ線断面図、（ｃ）はＦ−Ｆ線断面図である。尚、これは上記図７，図８の閉塞状態と同一である。上記図２に示すカバー１３のネジ挿通穴１３ｅにネジ８を挿通してケース蓋体１２にネジ止めすることで、カバー１３とケース蓋体１２とは密着し、個々の係止爪１４は対応する係止凹部１５に確実に係止する（第７の状態Ｍ７）。
【００２４】
図１６は、上記一連のカバー１３の閉操作において、蝶着軸１３ｂの移動の流れを示し、上記第１の状態Ｍ１から第７の状態Ｍ７までの蝶着軸１３ｂの移動を示している。第１の状態Ｍ１から第３の状態Ｍ３までは、蝶着軸１３ｂは後方に移動し、その後第４の状態Ｍ４から第７の状態Ｍ７に示すように前方に移動する。この移動により、回動閉操作初期は、係止爪１４が係止凹部１５に係止し易い位置に移動する。その後、係止可能な角度までカバー１３が傾倒すると、反対方向の前方に移動して係止動作を実施する。
【００２５】
こうして、カバー１３を閉操作する途中の特定の角度で、カバー１３がケース本体１０ａに当接して蝶着軸１３ｂを前方に移動させるため、係止爪１４を係止凹部１５へ挿入動作させることができる。よって、カバー１３の閉操作が完了した時点でカバー１３をケース本体１０ａに固定することができる。従って、カバー１３を閉じた後に更にスライド操作等のカバー１３固定操作を行う必要が無くなり、係止操作し忘れる恐れがない。
また、カバー１３の閉操作の途中で係止爪１４の位置が係止凹部１５へ係止可能な位置へ補正されるため、係止爪１４と係止凹部１５の位置を気にすることなくカバー１３の閉操作ができる。
【００２６】
以上は、操作ハンドル３の左右２箇所に付属装置収納部６を設けた回路遮断器を説明したが、付属装置収納部６を１箇所のみ設けた回路遮断器に対しても本願発明は容易に適用できる。図１７〜図２１は付属装置収納部６を１箇所のみ設けた回路遮断器を示し、図１７は回路遮断器の平面図、図１８（ａ）はカバーの平面図、図１８（ｂ）はカバーの側面図、図１９はカバーを下方から見た斜視図、図２０はケース蓋体の斜視図、図２１は回路遮断器の断面図を示している。以下、これらの図を参照して簡単に説明する。
【００２７】
ケース１０は、図示しないケース基体とケース蓋体１１２とカバー１１３とで構成され、図１７に示すように付属装置収納部６は操作ハンドル３の左側（図示下方）の１箇所に設けられている。
カバー１１３は、図１８に示すようにケース蓋体１１２に蝶着する蝶着軸１１３ｂを有し、図１９に示すように複数の係止爪１１４（１１４ａ〜１１４ｃ）を備えている。一方ケース蓋体１１２には、図２０に示すように係止爪１１４を係止する係止凹部１１５（１１５ａ〜１１５ｃ）が形成されている。尚、側面に形成された円形のボス１１６は、ケース蓋体１１２に係合してカバーを前方へ摺動させる係合部であり、上記係合部１３ｄに対応している。
【００２８】
図２１において、（ａ）は図１７に示すＪ−Ｊ線断面図、（ｂ）はＫ−Ｋ線断面図、（ｃ）はＬ−Ｌ線断面図であり、カバー１１３を閉じる直前の状態を示している。図２１（ｃ）に示すように、カバー１１３がケース蓋体１１２に当接する直前に、カバー１１３に設けられたボス１１６がケース蓋体１１２に傾斜形成された係合面１１２ｃに当接してケース１１３が前方にスライドする。尚、上記形態と同様に、カバー１１３を起立させた角度から図２１に示す角度に至る間に、蝶着軸１１３ｂが軸受部７の後方に移動して係止爪１１４の位置が補正される。
カバー１１３のスライド動作により、個々の係止爪１１４と係止凹部１１５とが係止し、カバー１１３がケース蓋体１１２に当接した時点でカバー１１３の開動作が禁止される。
このように、付属装置収納部６を１箇所のみ設けた回路遮断器に対してもカバー１１３の回動閉操作のみでカバー１１３が係止されるため、閉じた後に更にスライド操作等してカバー１１３を係止させる操作が必要なく、係止操作し忘れる恐れがない。
【００２９】
尚、上記実施形態では、ケース本体１０ａをケース基体１１とケース蓋体１２の２部材で形成しているが、例えば３部材で形成しても良く、形成された付属装置収納部６を閉塞するようカバー１３，１１３を配置すれば良い。
また、付属装置収納部６を２箇所設けた構成は、一般的にＭＣＣＢ（Ｍｏｌｄｅｄ  Ｃａｓｅ  Ｃｉｒｃｕｉｔ  Ｂｒｅａｋｅｒ）に適用される構成であり、１箇所のみ設けた構成はＥＬＢ（Ｅａｒｔｈ  Ｌｅａｋａｇｅ  Ｂｒｅａｋｅｒ）に適用される構成である。
【符号の説明】
【００３０】
１・・電源側端子、２・・負荷側端子、３・・操作ハンドル、６・・付属装置収納部（収納部）、７・・軸受部、１０・・ケース、１０ａ・・ケース本体、１１・・ケース基体、１２・・ケース蓋体、１２ｂ・・段部（ガイド部）、１２ｃ・・係合面（スライド手段）、１３・・カバー、  １３ｂ・・蝶着軸、１３ｃ・・蝶着側端部（凸部）、１３ｄ・・係合部、１４・・係止爪、１５・・係止凹部、１１２・・ケース蓋体、１１２ｃ・・係合面（スライド手段）、１１３・・カバー、１１３ｂ・・蝶着軸、１１４・・係止爪、１１５・・係止凹部。
【図１】
2015002154.tif 000003
【図２】
2015002154.tif 000004
【図３】
2015002154.tif 000005
【図４】
2015002154.tif 000006
【図５】
2015002154.tif 000007
【図６】
2015002154.tif 000008
【図７】
2015002154.tif 000009
【図８】
2015002154.tif 000010
【図９】
2015002154.tif 000011
【図１０】
2015002154.tif 000012
【図１１】
2015002154.tif 000013
【図１２】
2015002154.tif 000014
【図１３】
2015002154.tif 000015
【図１４】
2015002154.tif 000016
【図１５】
2015002154.tif 000017
【図１６】
2015002154.tif 000018
【図１７】
2015002154.tif 000019
【図１８】
2015002154.tif 000020
【図１９】
2015002154.tif 000021
【図２０】
2015002154.tif 000022
【図２１】
2015002154.tif 000023